(57)【要約】      （修正有）【課題】機械的振動による誤検出の防止およびチャタリングを回避するパチンコ玉通過検出スイッチを提供する。【解決手段】スイッチ本体１０にパチンコ玉の通過を許容するパチンコ玉通路１２が形成される。また、スイッチ本体１０はパチンコ玉通路１２に常には先端を臨ませ、パチンコ玉の通過により押圧されて移動する突起２０と、パチンコ玉通路１２の外方に臨んで接離可能な第１接点３０および第２接点３２が配設される。そして、突起２０の移動により第１接点３０と第２接点３２とを閉成または開放させるよう構成される。パチンコ玉通過検出スイッチは、突起２０を弾力的に付勢して、該突起２０の先端部２２を常にはパチンコ玉通路１２に臨ませる弾性片４０を備える。【選択図】図１
0003142415.tif 000002
【実用新案登録請求の範囲】
【請求項１】
パチンコ玉の通過を許容するパチンコ玉通路(12)と、このパチンコ玉通路(12)に常には先端(22)を臨ませ、該パチンコ玉の通過により押圧されて移動する突起(20,21)と、前記パチンコ玉通路(12)の外方に配設した第１接点(30)および第２接点(32)とを備え、前記突起(20,21)の移動により前記第１接点(30)および第２接点(32)の閉成または開放を行なうよう構成したパチンコ玉通過検出スイッチにおいて、
前記突起(20,21)の先端(22)と後端(24)との間に設けられた弾性片(40,41)と、
前記突起(20,21)の後端(24)に当接するよう前記第１接点(30)に設けられ、板状に形成された金属導体を材質とする腕部(34)とを備え、
前記弾性片(40,41)および腕部(34)により前記突起(20,21)を弾力的に付勢して、該突起(20,21)の先端(22)を常には前記パチンコ玉通路(12)に臨ませ得るよう構成した
ことを特徴とするパチンコ玉通過検出スイッチ。
【請求項２】
前記腕部(34)は、一端が前記第１接点(30)に揺動自在に軸支されると共に、他端が弾性部材(42)により常には前記突起(20,21)の先端を前記パチンコ玉通路(12)へ臨ませる方向に付勢されている請求項１記載のパチンコ玉通過検出スイッチ。
【請求項３】
前記弾性片(40,41)は板バネからなる請求項１または２記載のパチンコ玉通過検出スイッチ。
【考案の詳細な説明】
【技術分野】
【０００１】
この考案は、パチンコ機のパチンコ玉流通路に設けられるパチンコ玉通過検出スイッチに関し、更に詳細には、機械的振動による誤作動およびチャタリングを防止して、信頼性を更に高めたパチンコ玉通過検出スイッチに関するものである。
【背景技術】
【０００２】
周知のようにパチンコ機においては、その遊技盤に入賞具や入賞装置等が配設され、遊技盤に打出されたパチンコ玉が入賞具や入賞装置に入って、所謂セーフ玉となった場合は、各種の賞球操作が実行されるようになっている。また、入賞具や入賞装置等に入らなかったその他のパチンコ玉は、外れ玉としてパチンコ遊技盤の裏面に流出される。このように、パチンコ機では、遊技盤に打出されたパチンコ玉がセーフ玉か外れ玉かを判別したり、その個数等を正確に検出する必要がある。そこで、パチンコ機の背面側に設けられるパチンコ玉流通路の各所に、パチンコ玉通過検出スイッチを取付け、該スイッチによりパチンコ玉を検出するようにしている。
【０００３】
従来のパチンコ玉通過検出スイッチは、図６に示すように、スイッチ本体１０にパチンコ玉の通過を許容するパチンコ玉通路１２が画成され、該通路１２がパチンコ玉流通路の一部となるようパチンコ機(図示せず)に配設される。このスイッチ本体１０には、パチンコ玉通路１２に常には前進状態で臨み、パチンコ玉の通過により押圧されて後退移動する突起２０が配設されると共に、パチンコ玉通路１２の外方に離間的に配設した導電性を有する板バネ等の弾性部材からなる第１接点３０および第２接点３２を備える。すなわち、この状態でパチンコ玉通路１２をパチンコ玉が通過すると、該パチンコ玉により突起２０が押圧され、該突起２０により第１接点３０を押圧して第２接点３２と機械的に接触させることで、パチンコ玉の通過を検出するよう構成されている。そして、パチンコ玉が通過した後は、前記突起２０は第１接点３０の弾力によりパチンコ玉通路１２の検出位置に戻るよう設定されている(例えば、特許文献１参照)。
【特許文献１】登録実用新案第２５５２６４８号公報
【考案の開示】
【考案が解決しようとする課題】
【０００４】
しかし、従来のパチンコ玉通過検出スイッチには、以下のような欠点が指摘される。
(1) パチンコ玉通過検出スイッチで所謂ノーマルオープン(常開接点形式)のタイプのものは、常には第１接点３０と第２接点３２とは機械的接触を解除された状態に保持されており、前記突起２０の後退移動により第１接点３０を押圧することで第２接点３２に機械的に接触させるようになっている。この場合に、パチンコ玉流通路を連続して流れてくる複数のパチンコ玉を、個別に検出し得るように、突起２０のストローク、すなわち第１接点３０と第２接点３２との離間間隔は比較的短かく設定してある。このため、パチンコ玉がパチンコ玉流通路の内面に衝突したり、あるいはスイッチ本体１０に衝突した際に生ずる機械的な振動によって、第１接点３０と第２接点３２とが時として接触し、パチンコ玉の通過を誤検出してしまうことがあった。また、遊技客がパチンコ機のガラス面等を手で叩き、その衝撃で第１接点３０が第２接点３２に接触してしまい、同じくパチンコ玉の通過を誤検出することもある。
(2) 前記パチンコ玉通過検出スイッチにおいて、連続して通過するパチンコ玉を正確に検出するためには、前記突起２０を検出位置(前記突起２０の先端部がパチンコ玉通路１２に臨む位置)に素早く復帰させる必要がある。そこで従来は、第１接点３０と第２接点３２との離間間隔を短縮させたり、第１接点３０の弾力を高めたりすることで対処している。しかし、第１接点３０の弾力を高めると、前記突起２０の押圧状態が解除された際に、第１接点３０の弾力が過大なため該第１接点３０が大きく振動し、例えばオンするときは、接点同士が衝突した瞬間一度では安定せず、例えばボールがバウンドするように暴れながら最終的に接触状態に落ち着くような挙動(チャタリング)を示す。また、オフするときは第１接点３０から瞬時に接触圧が無くなると、該第１接点３０がバウンドしながらやがて第２接点３２から離間していくような挙動を示す。このようにチャタリングを生ずると、単一のパチンコ玉の通過にも拘わらず複数のパチンコ玉が通過した如く検出してしまい、パチンコ店舗に損害を与えることになってしまう。
【０００５】
この考案は、従来の技術に係るパチンコ玉通過検出スイッチに内在する前記問題に鑑み、これらを好適に解決するべく提案されたものであって、機械的振動による誤検出の防止を図ると共に、チャタリングを回避し得る信頼性の高いパチンコ玉通過検出スイッチを提供することを目的とする。
【課題を解決するための手段】
【０００６】
前記課題を克服し、所期の目的を達成するため、本考案に係るパチンコ玉通過検出スイッチは、
パチンコ玉の通過を許容するパチンコ玉通路と、このパチンコ玉通路に常には先端を臨ませ、該パチンコ玉の通過により押圧されて移動する突起と、前記パチンコ玉通路の外方に配設した第１接点および第２接点とを備え、前記突起の移動により前記第１接点および第２接点の閉成または開放を行なうよう構成したパチンコ玉通過検出スイッチにおいて、
前記突起の先端と後端との間に設けられた弾性片と、
前記突起の後端に当接するよう前記第１接点に設けられ、板状に形成された金属導体を材質とする腕部とを備え、
前記弾性片および腕部により前記突起を弾力的に付勢して、該突起の先端を常には前記パチンコ玉通路に臨ませ得るよう構成したことを特徴とする。
【考案の効果】
【０００７】
以上に説明した如く、本考案に係るパチンコ玉通過検出スイッチによれば、突起の先端を、常に前記パチンコ玉通路に臨ませるよう、該突起を弾力的に付勢する弾性片および腕部を設けることで、機械的振動による誤検出の防止を図ると共に、チャタリングを回避し得る信頼性の高いパチンコ玉通過検出スイッチを得ることができる。また、前記弾性片を設けることで、前記突起が押圧されることによる該突起の移動形態、すなわち該突起が直線的に進退移動して第１接点および第２接点を開閉する形態、あるいはシーソーの如く揺動して第１接点および第２接点を開閉する形態等、その他何れの形態であっても信頼性を向上させ得る。
【考案を実施するための最良の形態】
【０００８】
次に、本考案に係るパチンコ玉通過検出スイッチにつき、好適な実施例を挙げて、添付図面を参照して以下に説明する。なお、説明の便宜上、従来のパチンコ玉通過検出スイッチの構成要素と同一の要素については、同一の符号を使用して詳細な説明は省略する。また、実施例のパチンコ玉通過検出スイッチとして、接点がパチンコ玉の通過時に電気的に導通し、常には電気的に開放したノーマルオープンのタイプのものにつき説明する。
【０００９】
図１は、実施例に係るパチンコ玉通過検出スイッチを一部切欠いて示す平面図であって、該パチンコ玉通過検出スイッチ(以下、単に検出スイッチともいう)は、パチンコ機における遊技盤の裏面に画成されてパチンコ玉が流通するパチンコ玉流通路２(図２参照)の所要箇所に配設される。前記検出スイッチは、パチンコ機に配設した際にパチンコ玉流通路２の一部となる穴(以下、「パチンコ玉通路」という)を有する枠体１４が設けられたスイッチ本体１０と、パチンコ玉通路１２に所要長さだけ突出すると共に進退移動自在な突起２０と、この突起２０のストッパ部２６に配設されて、該突起２０をパチンコ玉通路１２の方向に付勢する板バネからなる弾性片４０と、金属製の板バネを材質とし、接点として機能する第１接点３０および第２接点３２とを基本的に備えている。
【００１０】
前記突起２０は、パチンコ玉通路１２側に突出している先端部(先端)２２と、パチンコ玉通路１２から離間する方向に延在する後端部(後端)２４と、先端部２２と後端部２４との間に設けられ、前記突起２０の移動方向と直交する方向に開放する溝２６ａが形成された鍔状のストッパ部２６とからなる。前記突起２０は、前記スイッチ本体１０に形成された収納部１６にストッパ部２６を収納した状態で配設され、該収納部１６の前端(パチンコ玉通路１２側)に形成した前規制部１６ａと、後端(第１接点３０側)に形成した後規制部１６ｂでストッパ部２６の移動を規制することで、突起２０の移動範囲が規定されている。前記ストッパ部２６の溝２６ａには、前記弾性片４０の中央部が嵌合するよう配設され、該弾性片４０の両端部は、前記収納部１６に形成された中間規制部１６ｃにより移動規制されるよう構成されている。また前記突起２０の後端部２４は、板状に形成された金属等の導体を材質とする第１接点３０の腕部３４に弾力的に当接している。すなわち突起２０は、図３(ａ)に示す如く、前記弾性片４０および前記腕部３４によりストッパ部２６が収納部１６の前規制部１６ａに当接し、その先端部２２がパチンコ玉通路１２へ臨む方向に常に付勢されている。なお、第１接点３０の腕部３４には、前記突起２０の後端部２４が当接する面と反対側に屈曲された接触部３４ａが形成され、該接触部３４ａが接点として機能する。
【００１１】
前記スイッチ本体１０には、図１に示す如く、第１接点３０の腕部３４を挟んで前記突起２０と反対側(パチンコ玉通路１２と離間する方向)に、第１接点３０とは左右対称の略Ｌ状に形成された金属等の導体を材質とする第２接点３２が、その接触腕３６を第１接点３０の腕部３４と所要間隔をもって平行に対向するよう配置されている。前記第１接点３０および第２接点３２は、図３(ａ)に示す如く、常には第１接点３０の接触部３４ａが第２接点３２から離間する機械的接触を解除された状態に保持されており、前記検出スイッチはオフ状態となるよう設定されている。そして、突起２０がパチンコ玉４により押圧されると、図３(ｂ)に示すように、該突起２０の後退移動により第１接点３０の腕部３４が第２接点３２方向に湾曲し、第１接点３０の接触部３４ａが第２接点３２の接触腕３６に接触する。これにより、当該検出スイッチがオン状態となり、パチンコ玉４の通過を検出するようになっている。
【００１２】
そして、前記パチンコ玉４の通過による前記突起２０の押圧状態が解除された際には、突起２０の先端部２２を前記パチンコ玉通路１２へ臨む方向に常に付勢する前記弾性片４０および第１接点３０の弾力により、該突起２０の先端部２２をパチンコ玉通路１２の検出位置に復帰させるよう構成されている。
【００１３】
なお、前記突起２０の移動量は、パチンコ玉４で先端部２２が押されたときと押されていないときとで、第１接点３０および第２接点３２の接触・離間状態が変化する長さに設定される。
【００１４】
（実施例の作用）
次に、実施例に係るパチンコ玉通過検出スイッチの作用について説明する。前記検出スイッチは、電源投入状態のもとで、前記第１接点３０の接触部３４ａは、図３(ａ)に示す如く、前記第２接点３２の接触腕３６に対して非接触状態になっている。このもとで、前記パチンコ玉流通路２を流通するパチンコ玉４は、該流通路２の所要箇所に配設した前記検出スイッチに到来する。
【００１５】
前記パチンコ玉４が前記検出スイッチのパチンコ玉通路１２を通過すると、図２および図３(ｂ)に示す如く、前記突起２０が押圧されて第１接点３０の方向へ移動し、前記弾性片４０が第１接点３０方向へ撓曲すると共に、前記第１接点３０の接触腕３４が第２接点３２方向に湾曲される。これにより、第１接点３０の接触部３４ａが第２接点３２の接触腕３６に接触し、第１接点３０と第２接点３２とが機械的に接触することで、前記検出スイッチがオン状態となってパチンコ玉４の通過を検出する。
【００１６】
次いで、パチンコ玉４がパチンコ玉通路１２を通過してしまうと、図３(ａ)に示すように、前記突起２０が弾性片４０および第１接点３０の腕部３４の弾力作用下に瞬時に押し戻されて、その先端部２２がパチンコ玉４を検出し得る状態でパチンコ玉通路１２に突出する。これにより、前記第１接点３０の接触部３４ａが第２接点３２の接触腕３６から離間し、第１接点３０と第２接点３２との機械的接触が解除されて前記検出スイッチはオフ状態となり、パチンコ玉４の通過検出を完了する。
【００１７】
実施例の検出スイッチは、前記突起２０の先端部２２を前記弾性片４０によりパチンコ玉通路１２へ臨む方向に付勢した状態で保持しているので、パチンコ玉流通路１２を流通するパチンコ玉４が該流通路１２の内面や検出スイッチのスイッチ本体１０に衝突した際に生ずる振動によって、第１接点３０と第２接点３２とが簡単に電気的な導通状態となるのを防止することができる。すなわち、パチンコ玉４の衝突等によりスイッチ本体１０に振動等が生じても、前記突起２０と嵌合している前記弾性片４０が衝撃を緩和することで、該突起２０が移動することを防止し、第１接点３０が第２接点３２に接触することが無くなる。従って、振動等による誤検出の発生を防止し、信頼性を向上し得る。
【００１８】
また、前記検出スイッチは、前記突起２０の検出位置への復帰動作を、該突起２０に設けられた前記弾性片２０の弾力により行なっているので、前記第１接点３０は、該突起２０の押し戻しのための弾力は必要とされない。従って、第１接点３０は接点間の接触を開放するための弾力のみを有していればよく、過剰な弾力の付加によるチャタリングの弊害を抑制することができる。
【００１９】
更に、前記突起２０の移動を独立して制御する前記弾性片４０が設けられているため、該弾性片４０の弾力を調整するだけで、該突起２０を最適に動作するよう設定することができる。すなわち、例えば前記弾性片４０として板バネを用いた場合、前記弾性片４０の材質に起因する弾力の選択および板バネの厚さによる弾力の調整等が考えられる。
【００２０】
（変更例）
実施例におけるパチンコ玉通過検出スイッチでは、第１接点３０の腕部３４は弾力性を持った材質で構成したが、図４に示す変更例に係るパチンコ玉通過検出スイッチのように、前記突起２０の後端部２４が当接する第１接点３０を、弾性部材４２により常には該突起２０の先端部２２を前記パチンコ玉通路１２へ臨む方向に付勢するよう構成してもよい。すなわち、前記第１接点３０の腕部３４は、一端が電気的導通を保ちつつ揺動自在に軸支され、他端をコイルバネ等の前記弾性部材４２により、常には該突起２０の先端部２２を前記パチンコ玉通路１２へ臨む方向に付勢するよう構成される。従って、パチンコ玉４が前記パチンコ玉通路１２を通過すると、前記先端部２２が前記パチンコ玉４に押圧されて第１接点３０の方向に移動し、前記後端部２４が第１接点３０を押圧する。前記第１接点３０は軸支された点を支点としてシーソーの如く揺動し、第１接点３０と第２接点３２とを機械的に接触させて電気的に導通するものである。そして、前記パチンコ玉４の通過による前記突起２０の押圧状態が解除された際には、突起２０の先端部２２を前記パチンコ玉通路１２へ臨む方向に常に付勢する前記弾性片４０および弾性部材４２の弾力により、該突起２０の先端部２２をパチンコ玉通路１２の検出位置に復帰させるようになっている。これに伴い、前記第１接点３０は、前記弾性部材４２の弾力により、前記第２接点３２との接触状態が解除される。
【００２１】
（別の変更例）
図５は、別の変更例に係るパチンコ玉通過検出スイッチを示すものであって、前記突起２１は、Ｖの字状に形成された本体部２３と、該本体部２３の一端部に形成されてパチンコ玉通路１２に臨む先端部２２と、該本体部２３の他端部に形成されて第１接点３０に当接する後端部２４と、該先端部２２の近傍に設けられた溝２５とから構成され、前記本体部２３が、そのＶの字の折曲点で軸２８を介して揺動自在に軸支されている。また、前記突起２１の溝２５に一端を嵌合させた弾性片４１の他端が、スイッチ本体１０に形成された規制溝１７に挿入されて位置規制されており、該弾性片４１により突起２１は、その先端部２２を常には前記パチンコ玉通路１２へ臨む方向に付勢するよう構成してある。
【００２２】
すなわち、図５に示す別の変更例においては、パチンコ玉４が前記パチンコ玉通路１２を通過すると、前記先端部２２が押圧されて、前記突起２１は軸２８を支点にしてシーソーの如く揺動し、前記弾性片４１を撓曲させると共に、前記後端部２４が第１接点３０を第２接点３２方向に湾曲させ、第１接点３０と第２接点３２とを機械的に接触させて電気的に導通する。そして、前記パチンコ玉４の通過による前記突起２１の押圧状態が解除された際には、突起２１の先端部２２を前記パチンコ玉通路１２へ臨む方向に常に付勢する前記弾性片４１および第１接点３０の弾力により、該突起２１の先端部２２をパチンコ玉通路１２の検出位置に復帰させるようになっている。
【００２３】
実施例および変更例のパチンコ玉通過検出スイッチとして、接点がパチンコ玉４の通過時に電気的に導通し、常には電気的に開放したノーマルオープンのタイプのスイッチについて説明した。しかし本願はこれに限定されず、常には両接点３０,３２間が機械的に接触した電気的導通状態であって、パチンコ玉４の通過に伴う前記突起２０の移動により、片方の接点３０を他方の接点３２から離間させ、両接点３０,３２間の電気的導通を遮断するよう構成した、ノーマルクローズ(常閉接点形式)のタイプのものであってもよい。
【図面の簡単な説明】
【００２４】
【図１】本考案の好適な実施例に係るパチンコ玉通過検出スイッチを一部切欠いて示す平面図である。
【図２】パチンコ機のパチンコ玉流通路に配設されたパチンコ玉通過検出スイッチによりパチンコ玉の通過を検出する状態を示す説明図である。
【図３】図１に示すパチンコ玉通過検出スイッチの内部構造を示すものであって、(ａ)は突起がパチンコ玉により押圧されていない状態であり、(ｂ)は突起がパチンコ玉により押圧された状態を示す要部拡大平面図である。
【図４】変更例に係るパチンコ玉通過検出スイッチを一部切欠いて示す平面図である。
【図５】別の変更例に係るパチンコ玉通過検出スイッチを一部切欠いて示す平面図である。
【図６】従来の技術に係るパチンコ玉通過検出スイッチを一部切欠いて示す平面図である。
【符号の説明】
【００２５】
１２ パチンコ玉通路，２０ 突起，２１ (別の変更例の)突起
２２ 先端部(先端)，２４ 後端部(後端)，３０ 第１接点，３２ 第２接点
３４ 腕部，４０ 弾性片，４１ (別の変更例の)弾性片，４２ 弾性部材
【図１】
0003142415.tif 000003
【図２】
0003142415.tif 000004
【図３】
0003142415.tif 000005
【図４】
0003142415.tif 000006
【図５】
0003142415.tif 000007
【図６】
0003142415.tif 000008